(57)【要約】【課題】  空気汚染物質のオゾンが発生しない効果を有する陰イオン発生と空気浄化機能とを有する三波長ランプを提供すること。【解決手段】  胴体の上部の中央に殺菌及び脱臭等、空気浄化機能を有するように陰イオン発生部の外部の表面に光触媒の酸化チタンをコーティングし、かつ、その内部には無オゾン陰イオンを発生させるように、それぞれの外部の表面が、端部が尖った多数の突起が形成されたメタルファイバ（ＭＦ３）ブラシを構成することにより達成される。したがって、前記のような構成を有する陰イオン発生と空気浄化機能とを有する三波長ランプは発生された陰イオンがランプから発生する電磁気により陰イオンが消滅されることを防止し、前記陰イオン発生部の外側面に光触媒をコーティングし、ＵＶランプなしにランプから発生した三波長光で空気浄化機能が発生し、メタルファイバ（ＭＦ３）ブラシにより空気汚染物質のオゾンが発生しない効果がある。【選択図】  図２ａ
2005079094.tif 000002
【特許請求の範囲】
【請求項１】
胴体の下部にはソケットを、上部にはランプを備えた三波長ランプにおいて、
前記胴体の上部の中央に殺菌及び脱臭等、空気浄化機能を有するように表面に光触媒の酸化チタンをコーティングした陰イオン発生部とを備え、その内部には無オゾン陰イオンを発生させるメタルファイバブラシを構成したことを特徴とする陰イオン発生と空気浄化機能とを有する三波長ランプ。
【請求項２】
交流電源が印加されて陰イオン発生と空気浄化機能とを有する三波長ランプ回路において、
前記交流電源が印加されて安定器とイオン発生部の相互干渉を防止する干渉防止部と、
前記干渉防止部から印加された交流電源を変圧器により-５ＫＶの直流電源に変換してダイオードコンデンサ逓倍回路により周波数を正倍数でパルスを発生させるイオン発生電圧有機部と、
前記イオン発生電圧有機部から印加された電流をメタルファイバブラシに印加するように構成したことを特徴とする陰イオン発生と空気浄化機能とを有する三波長ランプ。
【発明の詳細な説明】
【技術分野】
【０００１】
本発明は陰イオンを発生させるランプに関し、特に空気を汚染する物質であるオゾンが発生しないようにし、陰イオン発生機能と空気浄化機能とを有するランプに関する。
【背景技術】
【０００２】
一般的に、現在の空気中にはかび、各種細菌及び自動車排気ガスから発生した汚染物質が含まれた空気量が日増しに増えている。そのため、室内空気中に含まれているかび、各種細菌及び汚染物質を浄化するために陰イオン発生装置や空気清浄器のような製品を利用する人達が急増している趨勢である。
【０００３】
上記の通り、市中に流通している空気清浄器は室内の空気を対流させるために別途の送風装置を使用することで、前記送風装置はモータなどのような関連駆動部品により室内の空気を浄化させるために空気清浄器自体が大きくなって、このため、設置面積が広くなって使用空間を広く占有し、個別的に設置管理しなければならないので、製品の使用が面倒な問題がある。
【０００４】
また、２つの従来技術文献等に記載されているように、陰イオンを発生させたり空気清浄機能を有する照明装置を見ると、外部から電源を供給されることができる電極部が装着され、少なくとも一つ以上の照明灯が備えられる胴体と、前記胴体の内部に設けられて高圧を発生させる増幅器と、前記照明灯らの中央に介され、前記増幅器から高圧を供給されて陰イオンを発生させる陰イオン発生器からなって、前記空気清浄機能を有する照明装置は胴体の中央に設けられ、照明灯の中央に突出形成されている陰イオン発生器から陰イオンが発生され、室内の空気を浄化するようになされる（例えば、特許文献１及び２参照）。したがって、従来には陰イオンを発生させるためのずっと以前の花火放電を用いた陰イオン発生装置をランプに装着したものが主流を占めていて、これらの陰イオン発生装置は陰イオン発生が期待に及ばなく、微量のオゾンが生じた。
【特許文献１】韓国特許出願第２００１−００１８９３７号明細書
【特許文献２】韓国特許出願第２００１−００７１１３１号明細書
【発明の開示】
【発明が解決しようとする課題】
【０００５】
本発明は、上述のような問題点を解決するために案出したものであって、胴体の下部にはソケットを、上部にはランプを備えた三波長ランプにおいて、
前記胴体の上部の中央に殺菌及び脱臭等の空気浄化機能を有するように陰イオン発生部の外部の表面に光触媒の酸化チタンをコーティングし、かつ、その内部には無オゾン陰イオンを発生させるように、それぞれの外部の表面が端部がとがっていた数多い突起が形成されたメタルファイバ（ＭＦ３）ブラシを構成し、発生された陰イオンがランプから発生する電磁気により陰イオンが消滅されることを防止し、前記陰イオン発生部の外側面に光触媒をコーティングして、ＵＶランプなしにランプから発生した三波長光で空気浄化機能が発生し、メタルファイバ（ＭＦ３）ブラシにより空気汚染物質のオゾンが発生しない効果を有する陰イオン発生と空気浄化機能とを有する三波長ランプを提供することをその目的とする。
【課題を解決するための手段】
【０００６】
本発明の陰イオン発生と空気浄化機能とを有する三波長ランプは、胴体の下部にはソケットを、上部にはランプを備えた三波長ランプにおいて、前記胴体１０の上部の中央に殺菌及び脱臭等、空気浄化機能を有するように表面に光触媒の酸化チタン２２をコーティングした陰イオン発生部２０を備え、その内部には無オゾン陰イオンを発生させるメタルファイバ（ＭＦ３）ブラシ２１を構成したことを特徴とする。
【０００７】
また、交流電源を印加されて陰イオン発生と空気浄化機能とを有する三波長ランプ回路１００において、前記交流電源を印加されて安定器とイオン発生部の相互干渉を防止するための干渉防止部１１０と、前記干渉防止部から印加された交流電源を変圧器により-５ＫＶとなった直流電源に変換してダイオードコンデンサ逓倍回路により周波数を正倍数でパルスを発生させるイオン発生電圧有機部１２０と、前記イオン発生電圧有機部から印加された電流をメタルファイバ（ＭＦ３）ブラシ２１に印加するように構成したことを特徴とする。
【発明の効果】
【０００８】
以上のように、胴体の上部の中央に陰イオン発生及び空気清浄機能を有する陰イオン発生部を備えて、発生した陰イオンがランプから発生する電磁気により陰イオンが消滅することを防止し、前記陰イオン発生部の外面に光触媒をコーティングして、ＵＶランプなしにランプから発生した三波長光で空気浄化機能が発生し、メタルファイバ（ＭＦ３）ブラシにより空気汚染物質のオゾンが発生しない効果がある。
【発明を実施するための最良の形態】
【０００９】
以下、本発明の実施例を添付の図面を参照しながら詳しく説明すると次の通りである。
図１ａは従来の陰イオン発生機能を有する三波長ランプの構成を示す斜視図であり、図１ｂは従来の陰イオン発生機能を有する三波長ランプの構成を示す断面図であり、図２ａは本発明に係る陰イオン発生と空気浄化機能とを有する三波長ランプの構成を示す分解斜視図であり、図２ｂは本発明に係る陰イオン発生と空気浄化機能を有する三波長ランプの構成を示す斜視図であり、図２ｃは本発明に係る陰イオン発生と空気浄化機能を有する三波長ランプの構成を示す断面図であり、図２ｄは本発明に係る他の実施例を示す断面図であり、図３は本発明の陰イオン発生と空気浄化機能とを有する三波長ランプの要部の構成を示す断面図であり、図４は本発明の陰イオン発生と空気浄化機能とを有する三波長ランプの構成を示す回路図である。
【００１０】
図１ａと図１ｂに示しているように、従来の陰イオン発生機能を有する三波長ランプの構成を見ると、前記胴体１０は円筒形からなり、上部には複数個のランプ３０が装着され、下部には通常のソケット４０が結合されて電源を増幅器に印加させる電源部が装着され、前記増幅器は胴体１０の内壁に形成された固定片により安定的に設置され、前記上部の中央には陰イオンを放出させて視覚的の美麗感を与えることができる陰イオン発生部２０が構成される。
【００１１】
ここで、前記増幅器は電源部から供給される電源が印加されて高圧で増幅させ、その構成は印刷回路基板上に装着されるトランスフォーマ及び関連駆動部品などからなり、胴体の内壁に形成された固定片により安定に設置され、ランプに電源を印加するインバータが設けられる。
【００１２】
また、前記胴体１０の上部の中央には陰イオンを発生させる陰イオン発生部２０が設けられる。
【００１３】
前記陰イオン発生部２０は陰イオン発生板、複数の電子銃１、複数の通孔が形成された電子板２及び陰イオン集塵パネル３からなる。
【００１４】
前記陰イオン発生部２０は増幅器から高圧を印加されて前記陰イオン発生部２０の内部に形成された複数の電子銃１で電子を放出させる。
【００１５】
その際、前記電子銃１から放出される電子は電子板２に衝突して陰イオンが発生され、前記発生された陰イオンは電子板２に形成された複数の通孔を通じて外部に放出するようにした。
【００１６】
図２ａにおいて、図２ｃに示しているように、本発明は全体的な外形が通常的な胴体１０は円筒形からなり、上部には複数個のランプ３０が装着され、下部に通常のソケット４０に結合されて陰イオン発生部２０に電源を増幅して印加させる陰イオン電源部５０が装着され、前記陰イオン電源部５０は胴体１０の下段の内部に安定に設けられ、陰イオン電源部５０から発生する電磁気がランプに電源を印加してランプ電源部６０に影響を及ぼさないようにケースモールディング処理をする。
【００１７】
前記ランプ電源部６０はソケット４０から供給される電源を印加されて高圧で増幅させ、その構成は印刷回路基板上に装着されるトランスフォーマ及び関連駆動部品などからなり、胴体の内壁に形成された固定片により安定に設けられる。
【００１８】
また、前記胴体１０の上部の中央に殺菌及び脱臭等、空気浄化機能を有するように表面に光触媒の酸化チタン２２をコーティングした陰イオン発生部２０を備え、かつ、無オゾン陰イオンを発生させるようにその内部には８種類の金属を合成させた導電合金を導電性樹脂及び反導電性樹脂を混合してなされた各々の外部の表面が端部がとがっていた数多い突起が形成された無オゾン陰イオンを発生させるメタルファイバ（ＭＦ３）ブラシ２１を構成する。
【００１９】
その際、前記酸化チタン２２は、光触媒剤であって、浮遊する有機物及び汚染物質が陰イオン発生部２０の表面に吸着されるとランプから発生する光で酸化チタン２２を活性化させて、吸着された汚染物質が化学分解するようにする。したがって、上述したように、従来には通常的に胴体１０の上部にはランプ３０を、下部にはソケット４０を構成し、かつ、陰イオン発生部２０を電子板２、複数の電子銃１、複数の通孔からなり、高い電圧を用いた電子銃１により陰イオンを放出したが、その際、前記電子銃１を用いた陰イオン発生部２０は陰イオンのみを発生させるのではなく、人体に有害なオゾン等も発生する。
【００２０】
そして、前記電子銃から発生した放電花火により火災のような事故が起きることもある。
【００２１】
しかし、本発明は前記胴体１０の上部の中央に殺菌及び脱臭等、空気浄化機能を有するように表面に光触媒の酸化チタン２２をコーティングした陰イオン発生部２０を備え、その内部には無オゾン陰イオンを発生させる炭素繊維ブラシ２１を構成して、オゾンなどのような空気汚染物質を発生しなくて、酸化チタン２２による浮遊有機物を浄化するので、より快適な空気浄化機能を遂行することができる。
【００２２】
また、図４に示しているように、本発明の全体的な回路構成は交流電源を印加されて直流電源に整流後、安定器で印加して、電圧増幅及び定電圧が維持されて三波長ランプを点灯する。
【００２３】
そして、前記交流電源を印加されて安定器とイオン発生部との相互干渉を防止するための干渉防止部１１０と、前記干渉防止部から印加された交流電源を変圧器により-５ＫＶとなった直流電源に変換し、ダイオードコンデンサ逓倍回路により周波数を正倍数でパルスを発生させるイオン発生電圧有機部１２０と、前記イオン発生電圧有機部から印加された電流をメタルファイバ（ＭＦ３）ブラシ２１で印加するように構成する。
【図面の簡単な説明】
【００２４】
【図１ａ】従来の陰イオン発生機能を有する三波長ランプの構成を示す斜視図である。
【図１ｂ】従来の陰イオン発生機能を有する三波長ランプの構成を示す断面図である。
【図２ａ】本発明に係る陰イオン発生と空気浄化機能とを有する三波長ランプの構成を示す分解斜視図である。
【図２ｂ】本発明に係る陰イオン発生と空気浄化機能とを有する三波長ランプの構成を示す斜視図である。
【図２ｃ】本発明に係る陰イオン発生と空気浄化機能とを有する三波長ランプの構成を示す断面図である。
【図２ｄ】本発明に係る他の実施形態を示す断面図である。
【図３】発明の陰イオン発生と空気浄化機能とを有する三波長ランプの要部の構成を示す断面図である。
【図４】本発明の陰イオン発生と空気浄化機能とを有する三波長ランプの構成を示す回路図である。
【符号の説明】
【００２５】
１  電子銃
２  電子板
１０  胴体
２０  陰イオン発生部
２１  メタルファイバ（ＭＦ３）ブラシ
２２  酸化チタン
３０  ランプ
４０  ソケット
５０  陰イオン電源部
６０  ランプ電源部
１１０  干渉防止部
１２０  電圧有機部
【図１ａ】
2005079094.tif 000003
【図１ｂ】
2005079094.tif 000004
【図２ａ】
2005079094.tif 000005
【図２ｂ】
2005079094.tif 000006
【図２ｃ】
2005079094.tif 000007
【図２ｄ】
2005079094.tif 000008
【図３】
2005079094.tif 000009
【図４】
2005079094.tif 000010